(57)【要約】【課題】光素子の延命化と消費電力の抑制を図ると共に、これらを実現するための手段がその構成部品の劣化等に起因して正常に動作しない状態となることを回避する。【解決手段】光ケーブルＬが接続されていない状態では受信信号は“０”、光ケーブルＬが接続されており無通信状態であれば受信信号は“１”とし、通信データのデータ長を固定し且つストップビットを“１”とすると、通信データを受信していれば受信信号“０”が継続する期間は特定される。この特定期間以上受信信号“０”が継続するときには光ケーブルＬが接続されていない状態とみなすことができるから、特定期間以上受信信号“０”が継続しない間のみＥ／Ｏ変換器３２へ送信信号を伝達可能とする。光ケーブルＬが接続されていない場合等には、Ｅ／Ｏ変換器３２が発光不可状態となるから、不必要にＥ／Ｏ変換器３２が発光状態となることが回避される。【選択図】          図１
2004336132.tif 000002
【特許請求の範囲】
【請求項１】
電気信号をこれに応じた光信号に変換して送信する光送信手段と、
光信号を受信しこれに応じた電気信号に変換しこれを受信信号とする光受信手段と、を備えた光通信装置において、
前記受信信号に基づいて光通信による外部装置との通信が可能な状態であるかどうかを判別し、通信可能な状態にあると判別されるときにのみ、前記光送信手段を作動可能状態にすることを特徴とする光通信装置。
【請求項２】
電気信号をこれに応じた光信号に変換して送信する光送信手段と、
光信号を受信しこれに応じた電気信号に変換しこれを受信信号とする光受信手段と、を備え、
光通信による外部装置との通信が可能な通信可能状態であり且つ無通信状態のときには第１のレベルの電気信号を受信してこれを前記受信信号とし、非通信可能状態であるときには前記第１のレベルの電気信号とは異なる第２のレベルの電気信号を前記受信信号とすると共に、予め設定された最大データ長以内のデータ長の単位で通信データを受信し、且つ当該通信データ中に少なくとも前記第１のレベルの電気信号を含むようにした光通信装置において、
前記受信信号における前記第２のレベルの電気信号の継続時間に基づいて前記通信可能状態であるかどうかを判別し通信可能状態であると判別されるときにのみ前記光送信手段の作動を許可する通信状態判別手段と、
当該通信状態判別手段により作動許可が通知されたときにのみ前記光送信手段を作動可能状態に制御する作動制御手段と、を備えることを特徴とする光通信装置。
【請求項３】
前記通信状態判別手段は、前記受信信号を入力し、前記第２のレベルの電気信号を受信したとき計測を開始し且つその計測時間が前記最大データ長に基づいて設定された最大計測時間に達したときにタイムアップしたことを通知するタイムアップ信号を出力すると共に前記第１のレベルの電気信号を受信したとき前記計測時間をその初期値にリセットするタイマ回路から構成され、
前記タイムアップ信号を、前記作動許可を通知するための信号として用いるようになっていることを特徴とする請求項２記載の光通信装置。
【請求項４】
前記通信状態判別手段は、前記受信信号を入力し、前記第２のレベルの電気信号を受信している間、所定周期でトリガ信号を出力するトリガ信号発生手段と、
当該トリガ信号発生手段からのトリガ信号をトリガとして規定時間、信号を出力するリトリガブルモノステーブルマルチバイブレータで構成され、
前記規定時間は、前記最大データ長に基づいて設定された最大経過時間に相当する値に設定され、
前記リトリガブルモノステーブルマルチバイブレータの出力信号を、前記作動許可を通知するための信号として用いるようになっていることを特徴とする請求項２記載の光通信装置。
【請求項５】
前記光通信の通信方式は、調歩同期式通信であって、前記通信データの末尾に付加されるストップビットとして、前記第１のレベルの電気信号が設定されるようになっていることを特徴とする請求項２乃至４の何れかに記載の光通信装置。
【請求項６】
前記光通信装置は、パワーエレクトロニクス技術を応用した電力変換装置に適用されることを特徴とする請求項１乃至５の何れかに記載の光通信装置。
【請求項７】
前記作動制御手段は、前記通信状態判別手段での判別結果に応じて動作する無接点方式のスイッチであることを特徴とする請求項６記載の光通信装置。
【発明の詳細な説明】
【０００１】
【発明の属する技術分野】
この発明は、光通信装置に関し、特に、パワーエレクトロニクス技術を応用した電力変換装置とこの電力変換装置に各種動作定数等を定義するための外部周辺装置との間で光通信によりデータ伝送を行う際に用いられる光通信装置に関する。
【０００２】
【従来の技術】
従来、パワーエレクトロニクス技術を応用した電力変換装置（以下、パワエレ装置という。）においては、図１０に示すように、パワエレ装置１０に外部周辺装置２０を接続し、この外部周辺装置２０によって、パワエレ装置１０の定数設定や、データ表示、或いはデータ収集等を行うようにしている。
【０００３】
一般に、前記外部周辺装置２０は、前記パワエレ装置１０に常時接続されるわけではなく、パワエレ装置１０を設置する際における調整時や、メンテナンス時等といった、外部周辺装置２０を必要とする時にのみ例えば通信ケーブル８０によって接続するようにしている。
また、パワエレ装置１０は、一般に内部に高電圧・大電流部が存在し、また、ノイズの厳しい環境下で使用されるため、絶縁とノイズ対策とを兼ねて、図１１に示すように、パワエレ装置１０及び外部周辺装置２０のそれぞれに、電気信号を光信号に変換するためのＥ／Ｏ変換器３２、光信号を電気信号に変換するためのＯ／Ｅ変換器３４、及びパラレル信号及びシリアル信号との間で信号変換を行う信号変換器３６を設け、パワエレ装置１０と外部周辺装置２０との間を光ファイバケーブル（以後、光ケーブルともいう。）Ｌによって接続し、光通信によってデータ伝送を行うようにした方法も提案されている。なお、図１１中の１５は、パワエレ装置１０において、パワエレ装置を構成する図示しない各種半導体デバイス等の動作制御を行うための制御装置である。
【０００４】
前記外部周辺装置２０としては、開発期間の短縮や、コストダウンのために、市販品を用いることも多く、例えば、パーソナルコンピュータ等の処理装置２５にＥ／Ｏ変換器３２及びＯ／Ｅ変換器３４のアダプタを装着し、これらＥ／Ｏ変換器３２及びＯ／Ｅ変換器３４と処理装置２５との間で前記信号変換器３６を介して信号授受を行うことによって、処理装置２５を外部周辺装置２０として流用するようにしている。
【０００５】
前記パワエレ装置１０と外部周辺装置２０との間の通信方式としては、調歩同期式通信によってデータ伝送を行うことが多く、前述のようにパーソナルコンピュータ等の処理装置２５等にＥ／Ｏ変換器３２及びＯ／Ｅ変換器３４のアダプタを装着してこれを外部周辺装置２０とする場合には、光ケーブルＬ上では、通信のビット状態の“１”を光点灯、“０”を光消灯としている場合が多い。
【０００６】
ところで、先に述べたように、外部周辺装置２０はメンテナンス時等の必要な場合にのみ、光ファイバケーブルを用いてパワエレ装置１０と接続され、調歩同期式通信によりデータ伝送を行うといった使用法がなされることが多い。つまり、パワエレ装置１０における外部周辺装置２０との間での光通信は、パワエレ装置１０の動作時間のうちその大部分においてアイドル状態、つまり無通信状態となる。
【０００７】
ここで、調歩同期式通信においては、アイドル状態、つまり無通信状態においても、ビット状態を“１”として送信し、光通信を行う双方の装置間で、このアイドル状態における信号を互いに監視することによって、光ケーブルＬや光通信装置各部が正常動作しているかどうか等といった異常監視を行っている。このため、パワエレ装置１０側の光通信装置では、その動作時間の大部分を占めるアイドル状態において、Ｅ／Ｏ変換器３２の発光素子が発光することになる。この発光素子には、寿命があるため、不要な期間にも発光させるということは、その分寿命を早めていることと同等となり、また、電力消費量も増加するという問題がある。
【０００８】
これを回避するために、図１２に示すように、パワエレ装置１０の内部に通信許可部９０を設け、外部周辺装置２０をパワエレ装置１０に接続してこれら間で通信を行う場合には、パワエレ装置１０が送信すべき送信信号をＡＮＤ回路９２の一方の入力端子に入力し、他方の入力端子にはスイッチ回路ＳＷの出力を入力するようにし、通常はスイッチ回路ＳＷにおいてＬＯＷレベルの信号を選択することにより、Ｅ／Ｏ変換器３２の発光素子を発光不可の状態にしておき、通信を行う場合には、手動によりスイッチＳＷを操作してＨＩＧＨレベルの信号に切り替えることによってＥ／Ｏ変換器３２の発光素子を発光可能な状態に切り替え、その後通信を行うようにする方法が提案されている。
【０００９】
また、例えば、接続先に対して送信する情報がない場合には光通信を行うための光通信装置への電源供給を行わず、送信すべき情報があるときにのみ電源供給を行うと共に、接続先から光通信装置の立ち上げ要求が行われたときに光通信装置への電源供給を行うことによって、光通信を行うときにのみ光通信装置への電源供給を行うようにした方法等も提案されている（例えば、特許文献１）。
【００１０】
【特許文献１】
特開平８−２５６１０５号公報
【００１１】
【発明が解決しようとする課題】
しかしながら、上述のように、スイッチＳＷを手動により操作してＥ／Ｏ変換器３２の発光素子を発光可能な状態に切り替えるようにした場合、上述のように、光通信は常時使用されるわけではないため、場合によっては、スイッチ回路ＳＷの接点が酸化し、これに起因して接触不良等が発生するといった新たな問題を引き起こす場合がある。また、必要なときにのみ光通信装置への電源供給を行うようにした方法においても電源供給を行うか行わないかの制御を、接点式のスイッチ手段によって行う場合には、この場合も同様にスイッチ手段の劣化問題が発生することになる。
【００１２】
そこで、この発明は、上記従来の未解決の点に着目してなされたものであり、光素子の延命化と消費電力の抑制を図ると共に、これらを実現するための手段がその構成部品の劣化等に起因して正常に動作しない状態となることを回避可能な光通信装置を提供することを目的としている。
【００１３】
【課題を解決するための手段】
上記目的を達成するために、本発明の請求項１に係る光通信装置は、電気信号をこれに応じた光信号に変換して送信する光送信手段と、光信号を受信しこれに応じた電気信号に変換しこれを受信信号とする光受信手段と、を備えた光通信装置において、前記受信信号に基づいて光通信による外部装置との通信が可能な状態であるかどうかを判別し、通信可能な状態にあると判別されるときにのみ、前記光送信手段を作動可能状態にすることを特徴としている。
【００１４】
したがって、無通信状態においては光送信手段を発光させるような通信方式の場合であっても、外部装置と光通信を行う必要がなく外部装置を接続していない場合等には、光送信手段は作動しないから、不必要な状態にも係わらずに光送信手段が作動することが回避されることになり、その分光送信手段の寿命の延長や消費電力の低減等を図ることが可能となる。
【００１５】
また、請求項２に係る光通信装置は、電気信号をこれに応じた光信号に変換して送信する光送信手段と、光信号を受信しこれに応じた電気信号に変換しこれを受信信号とする光受信手段と、を備え、光通信による外部装置との通信が可能な通信可能状態であり且つ無通信状態のときには第１のレベルの電気信号を受信してこれを前記受信信号とし、非通信可能状態であるときには前記第１のレベルの電気信号とは異なる第２のレベルの電気信号を前記受信信号とすると共に、予め設定された最大データ長以内のデータ長の単位で通信データを受信し、且つ当該通信データ中に少なくとも前記第１のレベルの電気信号を含むようにした光通信装置において、前記受信信号における前記第２のレベルの電気信号の継続時間に基づいて前記通信可能状態であるかどうかを判別し通信可能状態であると判別されるときにのみ前記光送信手段の作動を許可する通信状態判別手段と、当該通信状態判別手段により作動許可が通知されたときにのみ前記光送信手段を作動可能状態に制御する作動制御手段と、を備えることを特徴としている。
【００１６】
つまり、通信可能状態では、第２のレベルの電気信号の継続時間が決まることを利用して通信状態判別手段により通信可能状態であるかどうかを判別し、通信可能状態であると判別されるときにのみ作動制御手段によって、光送信手段を作動可能状態とするようにしたから、無通信状態においては光送信手段を発光させるような通信方式の場合であっても、外部装置と光通信を行う必要がなく外部装置を接続していない場合等には、光送信手段は作動しないから、不必要な状態にも係わらずに光送信手段が作動することが回避されることになり、その分光送信手段の寿命の延長や消費電力の低減を図ることが可能となる。
【００１７】
また、請求項３に係る光通信装置は、前記通信状態判別手段は、前記受信信号を入力し、前記第２のレベルの電気信号を受信したとき計測を開始し且つその計測時間が前記最大データ長に基づいて設定された最大計測時間に達したときにタイムアップしたことを通知するタイムアップ信号を出力すると共に前記第１のレベルの電気信号を受信したとき前記計測時間をその初期値にリセットするタイマ回路から構成され、前記タイムアップ信号を、前記作動許可を通知するための信号として用いるようになっていることを特徴としている。
【００１８】
また、請求項４に係る光通信装置は、前記通信状態判別手段は、前記受信信号を入力し、前記第２のレベルの電気信号を受信している間、所定周期でトリガ信号を出力するトリガ信号発生手段と、当該トリガ信号発生手段からのトリガ信号をトリガとして規定時間、信号を出力するリトリガブルモノステーブルマルチバイブレータで構成され、前記規定時間は、前記最大データ長に基づいて設定された最大経過時間に相当する値に設定され、前記リトリガブルモノステーブルマルチバイブレータの出力信号を、前記作動許可を通知するための信号として用いるようになっていることを特徴としている。
【００１９】
また、請求項５に係る光通信装置は、前記光通信の通信方式は、調歩同期式通信であって、前記通信データの末尾に付加されるストップビットとして、前記第１のレベルの電気信号が設定されるようになっていることを特徴としている。
したがって、通信状態判別手段によって、通信状態を判別するために新たに信号を設けるストップビットを流用することによって容易に実現することが可能となる。
【００２０】
また、請求項６に係る光通信装置は、パワーエレクトロニクス技術を応用した電力変換装置に適用されることを特徴としている。
つまり、パワーエレクトロニクス技術を応用した電力変換装置においては、メンテナンス時に、外部装置とのデータ伝送を行う場合に、光通信装置を使用するようにしているから、このように、絶縁等の点で光通信による外部装置とのデータ通信が好ましいがその使用頻度が特に少ない電力変換装置に適用することによって、非通信状態であるときには光送信手段を作動不可状態とすることにより、消費電力削減や光送信手段の寿命の点などにおいて大いに効果を得ることが可能となる。
【００２１】
さらに、請求項７に係る光通信装置は、前記作動制御手段は、前記通信状態判別手段での判別結果に応じて動作する無接点方式のスイッチであることを特徴としている。
つまり、例えば、光通信装置を使用する頻度が少なくすなわち作動制御手段が動作する頻度が少ない場合、作動制御手段が接点式のスイッチ等で構成されている場合には、この作動制御手段が劣化する場合がありこれに伴って、いざ使用する場合に正常に動作しない場合がある。しかしながら、作動制御手段として無接点式のスイッチを用いるようにしているから、使用頻度が少ないためにこれが劣化することに起因して作動制御手段が正常動作しないといったことを回避することが可能となる。
【００２２】
【発明の実施の形態】
以下に、本発明の実施の形態を説明する。
図１は、本発明の第１の実施の形態における光通信装置３０の一例であって、外部周辺装置２０と光通信を行うパワエレ装置１０に適用したものである。
図１に示すように、パワエレ装置１０と外部周辺装置２０とは、光ファイバケーブル（以下、光ケーブルという。）Ｌで接続されるようになっている。前記外部周辺装置２０は、図１１に示す従来の外部周辺装置２０と同様に構成され、前記パワエレ装置１０に対し、制御定数情報、或いはパワエレ装置１０で保持する各種データの送信要求等を行い、パワエレ装置１０への制御定数の設定、パワエレ装置１０における制御データの収集或いはそのデータ表示等を行う。
【００２３】
また、パワエレ装置１０において、各部の制御処理等を行う制御装置１５では、通知された制御定数情報に基づいて図示しない各種半導体デバイス等を制御すると共に、データの送信要求に応じて指定されたデータを外部周辺装置２０に送信する。
第１の実施の形態における光通信装置３０は、図１に示すように、入力されるシリアル信号からなる電気信号を光信号に変換し光ケーブルＬに出力するＥ／Ｏ変換器３２と、光ケーブルＬから光信号を受信し、これをシリアル信号からなる電気信号に変換するＯ／Ｅ変換器３４と、前記制御装置１５と前記Ｅ／Ｏ変換器３２及びＯ／Ｅ変換器３４との間に介挿され、前記Ｏ／Ｅ変換器３４で変換した電気信号を受信信号として入力しこれを指定されたビット数のパラレル信号に変換し前記制御装置１５に出力すると共に、前記制御装置１５からのパラレル信号からなる送信信号をシリアル信号に変換する信号変換器３６と、を備えている。さらに、前記Ｏ／Ｅ変換器３４からの受信信号をもとに、パワエレ装置１０に光ケーブルＬが接続されているかどうかを検出し、光ケーブルＬが接続されていることを検出したとき前記Ｅ／Ｏ変換器３２の作動許可を通知する許可信号を出力する光ケーブル接続監視部３８と、当該光ケーブル接続監視部３８からの許可信号に基づき、光ケーブル接続監視部３８から作動許可が通知されたとき前記信号変換器３６からの出力信号を前記Ｅ／Ｏ変換器３２に出力し、前記作動許可が通知されないとき前記Ｅ／Ｏ変換器３２の発光素子を非点灯状態とする信号を前記Ｅ／Ｏ変換器３２に出力する通信許可部４０とを備えている。
【００２４】
そして、前記パワエレ装置１０と外部周辺装置２０とは、調歩同期式通信方式によって予め設定されたデータ単位でデータ伝送を行うようになっている。
図２は、パワエレ装置１０と外部周辺装置２０との間で授受される通信データのデータフォーマットを表したものであって、図２において左端を先頭とし、先頭から順に、１ビットのスタートビット、７ビット又は８ビットからなるデータビット、１ビットのパリティビット、及びストップビットから構成され、このストップビットは、前記データビットが８ビットの場合には１ビット、前記データビットが７ビットの場合には２ビットから構成される。そして、このスタートビットからストップビットまでを通信データの１単位としてデータ伝送を行うようになっている。また、前記スタートビットはＬＯＷレベルつまり“０”、前記ストップビットはＨＩＧＨレベルつまり“１”に設定される。なお、前記パリティビットは必ずしも設定しなくてもよい。
【００２５】
そして、前記Ｅ／Ｏ変換器３２及びＯ／Ｅ変換器３４は公知のＥ／Ｏ変換器及びＯ／Ｅ変換器と同様に構成され、前記Ｏ／Ｅ変換器３２は、光ケーブルＬが接続されていないときにはＬＯＷレベルの信号を出力するようになっている。また、前記パワエレ装置１０及び外部周辺装置２０においては、光ケーブルＬが接続されており且つアイドル状態つまり無通信状態においては送信信号としてＨＩＧＨレベルの信号を設定するようになっている。
【００２６】
前記光ケーブル接続監視部３８は、図３に示すように、タイマ回路５１と、このタイマ回路５１の初期値を設定するための初期値設定部５２とを備えている。この初期値設定部５２は、例えば、ジャンパ抵抗（０Ω抵抗）等を使用してＬＯＷレベル固定信号及びＨＩＧＨレベル固定信号へ接続することで、ビットパターンを形成し、これを初期値として前記タイマ回路５１に入力するようになっている。
【００２７】
前記タイマ回路５１は、クロック信号ＣＬＫが入力されるクロック端子ＴＣＬＫ  と、Ｏ／Ｅ変換器３４の出力である受信信号が入力されるイネーブル端子＊ＥＮ及びロード端子ＬＤと、前記初期値設定部５２からの初期値Ｃ０  を入力する初期値入力端子ＴＣ０と、タイマ回路５１がタイムアップ値ＣＵＰに達したときＨＩＧＨレベルとなるタイムアップ信号ＵＰを出力する出力端子＊ＵＰと、を備えている。
【００２８】
ここで、パワエレ装置１０と外部周辺装置２０との間で授受される通信データは、前記図２に示すようなフォーマットで形成され、スタートビットは“０”、ストップビットは“１”であり、通信データ内のビット数は決まっている。したがって、パワエレ装置１０と外部周辺装置２０との間でデータ伝送が行われているときには、受信信号として“０”が継続する最大ビット数は決まってくる。つまり、スタートビットの１ビット、データビットの７又は８ビット、及びパリティビットの１ビットが全て零であるときに最大となる。よって、受信信号“０”が継続する期間が、前記最大ビット数の転送に要する時間Ｔｍａｘ  を超えて継続するとき、これは通信データではないとみなすことができる。したがって、前記タイムアップ値ＣＵＰは、このタイムアップ値ＣＵＰに相当する時間Ｔｕｐが、前記最大ビット数の転送に要する時間Ｔｍａｘ  よりも大きな値（Ｔｕｐ＞Ｔｍａｘ  ）となるように設定する。
【００２９】
そして、アイドル状態、つまり無通信状態では受信信号は“１”、また、光ケーブルＬが接続されていない状態では受信信号は“０”となるから、受信信号“０”が継続する期間が、前記最大ビット数の転送に要する時間Ｔｍａｘ  を超えて継続し、通信データではないとみなされるということは、すなわち、光ケーブルＬが接続されていない状態か、或いは光ケーブルＬが接続されていても外部周辺装置２０が稼動していない状態等、光通信が不可能な状態であるとみなすことができる。なお、以後、光ケーブルＬが接続されていない状態とは、上述のように、光ケーブルＬが物理的に接続されていない状態、外部周辺装置２０が稼動していない状態等、光通信が不可能な状態にあることを表すものとする。
【００３０】
よって、前記タイマ回路５１でのタイムアップ値ＣＵＰとして、前記最大ビット数に相当する値を設定することによって、光ケーブルＬが接続されている状態であるか否かを判断することができる。
なお、タイマ回路５１は、クロック端子ＴＣＬＫ  及びロード端子ＬＤへの入力信号の立ち上がりをアクティブとし、また、イネーブル端子＊ＥＮへの入力信号及び出力端子＊ＵＰの立ち下がりをアクティブとする。
【００３１】
前記クロック端子ＴＣＬＫ  には、例えば、マイクロコンピュータ等で構成される前記制御装置１５で生成されたクロック信号ＣＬＫが入力される。なお、このクロック信号ＣＬＫの周期ＴＣ  は、図２に示す通信データの１ビットのデータ当たりのデータ時間ＴＤ  よりも小さな値（ＴＣ  ＜ＴＤ  ）となるように設定される。
そして、タイマ回路５１は、前記イネーブル端子＊ＥＮへの入力がＬＯＷレベルとなったときにこれをトリガとしてクロック端子ＴＣＬＫ  に入力されるクロック信号ＣＬＫの立ち上がりをトリガとしてクロック信号ＣＬＫのカウントを開始する。なお、ここではクロック信号ＣＬＫの立ち上がりをトリガとしてクロック信号ＣＬＫのカウントを行う場合について説明したが、クロック信号の立ち下がりをトリガとしてクロック信号ＣＬＫのカウントを行うようにしてもよい。
【００３２】
また、タイマ回路５１は、ロード端子ＬＤへの入力信号がＨＩＧＨレベルであるとき、初期値設定部５２からの初期値Ｃ０  をロードし、タイマ値Ｃを初期値Ｃ０  にセットする。そして、前記タイマ値Ｃが予め設定したタイムアップ値ＣＵＰに達しない間はＬＯＷレベル、タイマ値Ｃが前記上限値ＣＵＰに達したときにはＨＩＧＨレベルとなるタイムアップ信号ＵＰを出力し、このタイムアップ信号ＵＰの反転出力が前記許可信号として前記通信許可部４０に出力される。
【００３３】
前記通信許可部４０は、ＡＮＤ回路４２から構成され、前記タイマ回路５１のらの許可信号と、信号変換器３６からの前記外部周辺装置２０に送信すべき送信信号とを入力し、前記許可信号がＨＩＧＨレベルであるときに送信信号をＥ／Ｏ変換器３２に出力し、許可信号がＬＯＷレベルであるときにはＬＯＷレベルの信号を出力する。
【００３４】
図４は、タイマ回路５１に使用可能なタイマ回路（例えば、ＴＴＬの７４１６１等）の動作を説明するためのタイミングチャートであって、（ａ）はクロック端子ＴＣＬＫ  へ入力されるクロック信号ＣＬＫ、（ｂ）はｄ）はタイマ回路５１のタイマ値Ｃ、（ｅ）は出力端子＊ＵＰの反転出力を表す。なお、図４は、タイマ回路５１に使用可能なタイマ回路の動作を説明するためのタイミングチャートであるため、イネーブル端子＊ＥＮへの入力信号とロード端子ＬＤへの入力信号とは独立した信号としているが、タイマ回路５１のイネーブル端子＊ＥＮへの入力信号及びロード端子ＬＤへの入力信号の波形は同一の波形となる。
【００３５】
図４に示すように、ロード端子ＬＤへの入力信号がＨＩＧＨレベルとなると、クロック信号ＣＬＫの立ち上がる時点ｔ１で初期値Ｃ０がロードされタイマ値ＣはＣ０に初期設定される。この時点では、イネーブル端子＊ＥＮへの入力信号はＨＩＧＨレベルであるからクロック信号のカウントは行われない。したがって、タイマ値Ｃは初期値Ｃ０を維持する。また、タイマ値Ｃは初期値Ｃ０  であるから出力端子＊ＵＰの反転出力はＨＩＧＨレベルとなる。
【００３６】
この状態から、イネーブル端子＊ＥＮへの入力信号がＬＯＷレベルとなると、時点ｔ２ではロード端子ＬＤへの入力信号はＬＯＷレベルであるから、タイマ回路５１はクロック信号ＣＬＫのカウントを開始し、クロック信号ＣＬＫの立ち上がりのタイミングでタイマ値Ｃが初期値Ｃ０から増加する。
そして、再度ロード端子ＬＤへの入力信号がＨＩＧＨレベルとなると、時点ｔ３でこれをトリガとして初期値Ｃ０がロードされるから、タイマ値Ｃはこの時点で初期値Ｃ０にリセットされ、時点ｔ４ではロード端子ＬＤへの入力信号はＬＯＷレベルであるから、時点ｔ４から、再度クロック信号ＣＬＫが立ち上がる毎にタイマ値Ｃが増加する。そして、時点ｔ５で、タイマ値Ｃがタイムアップ値ＣＵＰに達すると、出力端子＊ＵＰの出力がＨＩＧＨレベルとなるから、その反転出力はＬＯＷレベルに切り替わる。また、タイマ回路５１はクロック信号ＣＬＫのカウントを停止する。よって、出力端子＊ＵＰの反転出力はＬＯＷレベルを維持する。
【００３７】
次に、上記第１の実施の形態の動作を、図５のタイミングチャートを伴って説明する。
図５において、（ａ）はＯ／Ｅ変換器３４の出力である外部周辺装置２０からの受信信号、（ｂ）は光ケーブル接続監視部３８の出力である許可信号、（ｃ）はタイマ回路５１のタイマ値Ｃである。
【００３８】
今、光ケーブルＬにより、パワエレ装置１０と外部周辺装置２０とが接続されている状態で、これら間での通信が行われていない無通信状態、つまりアイドル状態では、Ｏ／Ｅ変換器３４の出力はＨＩＧＨレベルとなり、ロード端子ＬＤへの入力信号がＨＩＧＨレベルであるから、初期値設定部５２から初期値Ｃ０がタイマ回路５１にロードされる。したがって、タイマ値Ｃはロードされた初期値Ｃ０を維持することになる。また、タイマ回路５１がタイムアップしていない間はタイムアップ信号ＵＰはＬＯＷレベルを維持するから、許可信号はＨＩＧＨレベルを維持することになる。よって、通信許可部４０では、信号変換器３６から入力される送信信号をそのままＥ／Ｏ変換器３２に出力するから、Ｅ／Ｏ変換器３２の発光素子は送信信号に応じて発光することになる。つまり無通信状態のときには、送信信号はＨＩＧＨレベルに設定されるから、Ｅ／Ｏ変換器３２の発光素子は発光状態となり、外部周辺装置２０にＨＩＧＨレベルの信号が送信されることになる。したがって、外部周辺装置２０側ではパワエレ装置１０からＨＩＧＨレベルの信号を受信することによって、これに基づく異常監視を行うことが可能となる。
【００３９】
そして、時点ｔ１１で外部周辺装置２０から通信データを受信し、そのスタートビットとして設定されている“０”つまりＬＯＷレベルの信号を受信すると、イネーブル端子＊ＥＮ及びロード端子ＬＤへの入力信号がＬＯＷレベルに切り替わるから、タイマ回路５１では、クロック信号ＣＬＫのカウントを開始し、クロック信号ＣＬＫを入力する毎にタイマ値Ｃが増加する。
【００４０】
そして、タイマ値Ｃは、受信信号が“０”つまりＬＯＷレベルである間は、クロック信号ＣＬＫを入力する毎に増加し、時点ｔ１２で受信信号が“１”、つまり通信データとして“１”を受信したときには、ロード端子ＬＤへの入力信号がＨＩＧＨレベルに切り替わることから、初期値Ｃ０がロードされる。したがって、この時点でタイマ値ＣはＣ０にリセットされる。そして、以後、受信信号が“０”である間はクロック信号を入力する毎に増加する。そして、タイマ回路５１がタイムアップしていない間は、引き続き許可信号はＨＩＧＨレベルとなるから、外部周辺装置２０への送信信号の送信は可能である。
【００４１】
そして、所定のデータ単位の通信データを受信し、時点ｔ１３で、通信データのストップビットが入力されると、ストップビットは“１”に設定されているから、ロード端子ＬＤへの入力がＨＩＧＨレベルとなる。よって、タイマ値Ｃは初期値Ｃ０にリセットされる。
そして、その後無通信状態となると、Ｏ／Ｅ変換器３４からの受信信号としてＨＩＧＨレベルの受信信号が出力されるからタイマ値Ｃは引き続き初期値Ｃ０を維持する。
【００４２】
このとき、タイマ回路５１はタイムアップしないから許可信号はＨＩＧＨレベルを維持する。したがって、例えば外部周辺装置２０から通信データを入力し、次にパワエレ装置１０からその応答として通信データを送信する場合或いは無通信状態である場合には、許可信号はＨＩＧＨレベルを維持するから、通信許可部４０に入力される送信信号はそのままＥ／Ｏ変換器３２に出力され、パワエレ装置１０からの通信データの送信が可能となる。
【００４３】
そして、再度外部周辺装置２０から通信データを入力する状態となると、通信データのスタートビット“０”を受信したときにクロック信号ＣＬＫのカウントが行われ、通信データがＨＩＧＨレベルとなる毎に逐次タイマ値ＣがＣ０にリセットされる。そして、通信データの受信を終了し、アイドル状態となるとタイマ値Ｃは初期値Ｃ０  に維持される状態となり、許可信号はＨＩＧＨレベルを維持するから、折り返し送信信号がある場合には、これを送信することが可能となる。
【００４４】
そして、この状態から時点ｔ１４でパワエレ装置１０から光ケーブルＬを取り外すと、Ｏ／Ｅ変換器３４の出力はＬＯＷレベルに切り替わる。
したがって、タイマ値Ｃはクロック信号ＣＬＫが入力される毎に増加し、タイマ値Ｃがタイムアップ値ＣＵＰに達する時点ｔ１５でタイムアップする。これによって、タイマ回路５１では、クロック信号ＣＬＫのカウントを停止し、また、タイムアップ信号ＵＰがＨＩＧＨレベルに切り替わるから、許可信号はＬＯＷレベルとなる。
【００４５】
つまり、光ケーブルＬが接続されていない状態では、パワエレ装置１０の制御装置１５から無通信状態における送信信号としてＨＩＧＨレベルの信号を送信したとしても、通信許可部４０の出力はＬＯＷレベルとなるから、この時点でＥ／Ｏ変換器３２の発光素子は、発光不可の状態となり、消灯状態となる。
そして、時点ｔ１６で再度光ケーブルＬを接続し、外部周辺装置２０から無通信状態の通信データとしてＨＩＧＨレベルの信号を入力すると、受信信号がＨＩＧＨレベルである間は，初期値Ｃ０がロードされることになってタイマ値Ｃは初期値Ｃ０を維持することになり、許可信号はＨＩＧＨレベルとなる。したがって、この状態から、パワエレ装置１０からの通信データの送信が可能となる。
【００４６】
ここで、例えば、通信データとして、全ビットが零に設定されたデータを受信した場合、スタートビットは“０”であるからこの時点でタイマ回路５１のカウントが開始され、以後、零が継続するためタイマ値Ｃはクロック信号ＣＬＫを受信する毎に増加することになる。しかしながら、ストップビットは“１”として送信されるから、このストップビットの“１”を受信した時点でタイマ値Ｃは初期値Ｃ０  にリセットされることになる。ここで、タイムアップ値ＣＵＰは、タイムアップ値ＣＵＰに達するまでの所要時間が、前記通信データにおいて零が継続する場合の最大ビット数の転送に要する時間Ｔｍａｘ  よりも長くなるように設定されているから、全ビット零のデータを受信した場合には、タイマ回路５１が、タイムアップすることはない。
【００４７】
このように、光ケーブル接続監視部３８において、光ケーブルＬが接続されて外部周辺装置２０との間での光通信が可能な状態であるかどうかを検出し、光ケーブルＬが接続され、光通信が可能な状態であるときにのみＥ／Ｏ変換器３２を発光可能状態とし、外部周辺装置２０が作動していないときや外部ケーブルＬが接続されていないとき等、光通信が不可能な状態にあるきには、Ｅ／Ｏ変換器３２を発光不可状態とするようにしたから、光ケーブルＬが接続されていない場合等に、Ｅ／Ｏ変換器３２が不必要に発光状態となることを回避することができる。
【００４８】
よって、消費電力の削減、Ｅ／Ｏ変換器３２の発光素子の寿命の短縮を防止することができると共に、光ケーブル接続監視部３８においては、Ｏ／Ｅ変換器３４の出力信号に基づいて判断し、これに応じてＡＮＤ回路４２からなる通信許可部４０によってＥ／Ｏ変換器３２を発光可能とするかどうかを制御するようにしたから、接点スイッチ等を用いてＥ／Ｏ変換器３２を発光可能とするか否かを制御するようにした場合のように、接点が劣化することに起因して異常動作することなく、実現することができる。
【００４９】
また、このとき、光通信において通常受信する無通信状態のＨＩＧＨレベルの信号及び光ケーブルＬが接続されていないときＯ／Ｅ変換器３４から出力されるＬＯＷレベルの信号を利用して、光ケーブルＬが接続されて光通信が可能な状態であるかどうかを判定するようになっているから、Ｅ／Ｏ変換器３２の発光制御を実現するに伴って、パワエレ装置１０と外部周辺装置２０との間の通信データの伝送手順に何ら制約を受けることなく、また、これら通信データの伝送に伴う処理内容の変更を伴うことなく容易に実現することができる。
【００５０】
また、このとき、外部周辺装置２０との間での通信が可能な状態であればＥ／Ｏ変換器３２は発光可能な状態に制御される。よって、例えば外部周辺装置２０からの指示に応じてＥ／Ｏ変換器３２を発光可能な状態に制御するような方法を用いた場合には、外部周辺装置２０からの指示が得られない限りパワエレ装置２０は発光不可の状態となるため、パワエレ装置２０側からの送信は不可となる。しかしながら、上記第１の実施の形態においては、上述のように、外部周辺装置２０からの指示を受ける必要はなく、通信可能な状態であれば発光可能な状態となるから、パワエレ装置１０側に何ら制約を与えることなく実現することができる。また、外部周辺装置２０との間での通信が可能な状態であればＥ／Ｏ変換器３２は発光可能な状態に自動的に制御されるから、Ｅ／Ｏ変換器３２を発光可能な状態に切り替えるという作業を行う必要はなく、オペレータは光ケーブルＬを接続するだけでよく、容易に実現することができる。
【００５１】
また、前記タイマ回路５１のタイマ値Ｃの初期値Ｃ０を初期値設定部５２からロードするようにしているから、例えば、パワエレ装置１０と外部周辺装置２０との間で授受する通信データの単位として設定したデータ長が異なるパワエレ装置１０に適用する場合であっても、初期値設定部５２における初期値Ｃ０をデータ長に応じて調整するだけで容易に適用することができる。
【００５２】
また、このように、通常あまり光通信を行わないような場合であっても、光通信を行う場合には、何ら支障なく光通信を行うことができるから、特に、一般に内部に高電圧・大電流部が存在し、また、ノイズの厳しい環境下で使用され、且つ、メンテナンス時等にのみ使用され通常あまり使用されることのない、パワエレ装置１０と外部周辺装置２０との間の光通信に適用することにより、絶縁とノイズ対策との点、また、光通信装置内の各部の劣化等に点からも好適である。
【００５３】
なお、上記第１の実施の形態においては、タイマ回路５１としてアップカウンタを適用し、タイマ値Ｃがタイムアップ値ＣＵＰに達したときにタイムアップとした場合について説明したが、これに限るものではなく、例えばダウンカウンタを適用するようにしてもよく、要は、経過時間を計測し所定時間経過したときにＬＯＷレベルとなる信号を出力することの可能な回路であれば適用することができる。
【００５４】
次に、本発明の第２の実施の形態を説明する。
この第２の実施の形態は、光ケーブル接続監視部３８の構成が異なること以外は上記第１の実施の形態と同様であるので同一部には同一符号を付与しその詳細な説明は省略する。
この第２の実施の形態における光ケーブル接続監視部３８は、図６に示すように、Ｏ／Ｅ変換器３４の出力信号を入力しトリガ信号を出力するトリガ発生器５３と、このトリガ発生器５３からのトリガ信号を入力するリトリガブル回路５４とから構成される。
【００５５】
前記トリガ発生器５３は、Ｏ／Ｅ変換器３４からの出力信号をイネーブル端子ＥＮに入力し、イネーブル端子ＥＮへの入力信号がＨＩＧＨレベルである間、所定周期Ｔ１でＨＩＧＨレベルとなるトリガ信号を、繰り返し送信する。なお、前記周期Ｔ１は、例えば後述するリトリガブル回路５４の保持期間Ｔｆｒよりも十分短い時間に設定される。
【００５６】
つまり、図７に示すように、イネーブル端子ＥＮへの入力信号（図７（ａ））が時点ｔ２１でＨＩＧＨレベルとなると、トリガ発生器５３は、所定周期Ｔ１でＨＩＧＨレベルとなるトリガ信号（図７（ｂ））を出力する。そして、イネーブル端子ＥＮへの入力信号がＨＩＧＨレベルである間、トリガ信号を所定周期Ｔ１で繰り返し出力し、時点ｔ２２でイネーブル端子ＥＮへの入力信号がＬＯＷレベルになるとトリガ信号の出力を停止する。そして、時点ｔ２３で再度イネーブル端子ＥＮへの入力信号がＨＩＧＨレベルとなると再度トリガ信号を所定周期Ｔ１で出力する。
【００５７】
また、前記リトリガブル回路５４は、例えば、ＴＴＬシリーズの７４１２３等のＩＣ回路からなるリトリガブルモノステーブルマルチバイブレータで構成され、トリガ発生器５３から出力されるトリガ信号をトリガ入力端子ＴＲＧＩＮに入力し、トリガ信号のＨＩＧＨレベルへの立ち上がりをトリガとして予め設定した保持期間Ｔｆｒの間ＨＩＧＨレベルとなる許可信号を出力する。そして、前記保持期間Ｔｆｒが経過する前に新たにトリガ信号を入力した場合には、再度この時点を基点として前記保持期間Ｔｆｒの計測を開始する。
【００５８】
つまり、図８に示すように、時点ｔ３１でトリガ信号入力端子ＴＲＧＩＮにトリガ信号が入力されると（図８（ａ））、出力端子Ｑの出力（図８（ｂ））はＨＩＧＨレベルとなる。そして、トリガ信号を時点ｔ３１で入力した後、保持期間Ｔｆｒが経過する以前（Ｔａ１＞Ｔｆｒ）の時点ｔ３２で再度トリガ信号を入力すると、出力信号はＨＩＧＨレベルを維持し、この時点ｔ３２から再度保持期間Ｔｆｒの計測を開始する。同様に、時点ｔ３２でトリガ信号を入力した時点から保持期間Ｔｆｒが経過する以前（Ｔａ２＞Ｔｆｒ）の時点ｔ３３でトリガ信号を入力するとＨＩＧＨレベルを維持する。そして、時点ｔ３４でトリガ信号を入力した時点で再度保持期間Ｔｆｒの計測を開始し、時点ｔ３４から保持期間Ｔｆｒが経過してもトリガ信号を受信しない場合には、保持期間Ｔｆｒが経過した時点ｔ３５で出力信号はＬＯＷレベルとなる。
【００５９】
前記リトリガブル回路５４には、調整手段５４ａが設けられ、この調整手段５４ａによって、リトリガブル回路５４の保持期間Ｔｆｒを調整するようになっている。
前記保持期間Ｔｆｒは、前記タイムアップ値ＣＵＰに相当する時間Ｔｕｐと同様に、前記最大ビット数の転送に要する時間Ｔｍａｘ  より大きな値となるように設定される。
【００６０】
次に、上記第２の実施の形態の動作を図９を伴って説明する。
なお、図９において、（ａ）はトリガ発生器５３のイネーブル端子ＥＮに入力される受信信号、（ｂ）はトリガ発生器５３から出力されるトリガ信号、（ｃ）はリトリガブル回路５４から出力される許可信号である。
今、光ケーブルＬにより、パワエレ装置１０と外部周辺装置２０とが接続されている状態で、これら間での通信が行われていない無通信状態、つまりアイドル状態では、Ｏ／Ｅ変換器３４の出力はＨＩＧＨレベルとなり、トリガ発生器５３のイネーブル端子ＥＮへの入力信号がＨＩＧＨレベルであるから、トリガ信号が所定周期Ｔ１で出力される。したがって、リトリガブル回路５４では、トリガ信号の立ち上がりの時点から保持期間Ｔｆｒの間、ＨＩＧＨレベルとなる信号を出力する。前記トリガ信号は、前記イネーブル端子ＥＮへの入力信号がＨＩＧＨレベルである間、繰り返し送信されるから、前記リトリガブル回路５４の出力はＨＩＧＨレベルを維持する。よって、通信許可部４０への許可信号はＨＩＧＨレベルを維持するから、Ｅ／Ｏ変換器３２は送信信号を送信可能な状態を維持し、したがって、アイドル状態を表すＨＩＧＨレベルの送信信号を送信することになる。
【００６１】
この状態から、外部周辺装置２０から通信データを受信し、時点ｔ４１でそのスタートビットとして設定されているＬＯＷレベルの信号を受信すると、イネーブル端子ＥＮへの入力信号がＬＯＷレベルに切り替わることから、トリガ信号の出力が停止する。リトリガブル回路５４では、時点ｔ４１から保持期間Ｔｆｒが経過するまでの間は、その出力である許可信号をＨＩＧＨレベルに維持するから、Ｅ／Ｏ変換器３２は引き続き発光可能状態に維持される。
【００６２】
そして、リトリガブル回路５４では、時点ｔ４１から保持期間Ｔｆｒの計測を開始し、保持期間Ｔｆｒが経過するよりも前に、受信信号としてＨＩＧＨレベルの信号を受信すると、この時点ｔ４２で、トリガ発生器５３からトリガ信号が発生される。したがって、リトリガブル回路５４の出力、つまり許可信号は引き続きＨＩＧＨレベルを維持する。
【００６３】
そして、以後、受信信号が“０”である間はトリガ発生器５３からトリガ信号が出力されないが、時点ｔ４２から保持期間Ｔｆｒが経過しない間は許可信号はＨＩＧＨレベルに維持され、外部周辺装置２０への送信信号の送信は可能である。
そして、所定のデータ単位の通信データを受信し、時点ｔ４３で、通信データのストップビットが入力されると、ストップビットは“１”に設定されているから、トリガ発生器５３から再度トリガ信号が発生される。したがって、許可信号は引き続きＨＩＧＨレベルを維持し、その後無通信状態となると、Ｏ／Ｅ変換器３４からの受信信号としてＨＩＧＨレベルの受信信号が出力されるからトリガ発生器５３から引き続きトリガ信号が発生され、許可信号はＨＩＧＨレベルを維持する。よって受信信号を入力し、次にパワエレ装置１０から通信データを送信する場合或いは無通信状態である場合には、許可信号はＨＩＧＨレベルを維持するから、通信許可部４０に入力される送信信号はそのままＥ／Ｏ変換器３２に出力され、パワエレ装置１０からの送信が行われることになる。
【００６４】
そして、再度外部周辺装置２０から通信データを入力する状態となり、通信データのスタートビット“０”を受信するとトリガ信号の出力が停止されるが、保持期間Ｔｆｒが経過するまでの間は、許可信号はＨＩＧＨレベルに維持され、通信データとして“１”を受信するとトリガ信号が発生されて再度保持期間Ｔｆｒの計測が開始される。
【００６５】
そして、通信データの受信を終了し、アイドル状態となるとイネーブル端子ＥＮへの入力信号がＨＩＧＨレベルに維持されるから許可信号は引き続きＨＩＧＨレベルに維持され、折り返し送信信号がある場合には、これを送信することが可能となる。
この状態から時点ｔ４４でパワエレ装置１０から光ケーブルＬを取り外すと、Ｏ／Ｅ変換器３４の出力はＬＯＷレベルに切り替わる。
【００６６】
したがって、トリガ信号の出力が停止され、時点ｔ４４からの経過時間が、時点ｔ４５で保持期間Ｔｆｒに達すると、この時点でリトリガブル回路５４の出力はＬＯＷレベルに切り替わるから許可信号はＬＯＷレベルとなる。
したがって、通信許可部４０の出力はＬＯＷレベルとなるから、この時点でＥ／Ｏ変換器３２の発光素子は、発光不可の状態となり、消灯状態となる。
【００６７】
そして、時点ｔ４６で再度光ケーブルＬを接続した場合には、無通信状態である間はＯ／Ｅ変換器３４の出力はＨＩＧＨレベルとなるから、トリガ発生器５３への入力信号がＨＩＧＨレベルとなり、これによってトリガ信号が発生されるから、許可信号はＨＩＧＨレベルとなる。したがって、この状態から、パワエレ装置１０からの通信データの送信が可能となる。
【００６８】
そして、通信データとして全て“０”が設定されたデータを受信した場合であっても、無通信状態では受信信号は“１”であるから、通信データとして“０”を受信した時点では、リトリガブル回路５４では保持期間Ｔｆｒは出力をＨＩＧＨレベルに維持するから、許可信号はＨＩＧＨレベルを維持し、以後、零が継続するためトリガ信号は出力されないが、保持期間Ｔｆｒの間は許可信号はＨＩＧＨレベルを維持する。そして、“１”に設定されたストップビットを受信した時点で、再度トリガ発生器５３からトリガ信号が出力されるから、この時点で、リトリバブル回路５４の保持期間Ｔｆｒの計測が新たに開始されることになる。
【００６９】
ここで、保持期間Ｔｆｒは、前記通信データにおいて零が継続する場合の最大ビット数の転送に要する時間Ｔｍａｘ  よりも長くなるように設定されているから、全ビット零のデータを受信した場合に、ストップビットを受信するまでの間に許可信号がＬＯＷレベルに切り替わることはない。
したがって、この場合も上記第１の実施の形態と同等の作用効果を得ることができる。
【００７０】
また、この場合も調整手段５４ａによって、保持期間Ｔｆｒを調整することができるから、通信データのデータ単位の変更に対しても容易に対処することができる。
なお、上記各実施の形態においては、パワエレ装置１０と外部周辺装置２０との間において光通信を行う場合について説明したが、これに限るものではなく、光通信によって通信を行う装置であれば適用することができる。
【００７１】
また、上記各実施の形態においては、図２に示すデータフォーマットで通信データの伝送を行うようにした場合について説明したが、これに限るものではなく、スタートビットとして“０”及びストップビット“１”とし、これらスタートビット及びストップビットを、所定のデータ長の送信データの前及び後にそれぞれ付加した形式のデータフォーマットであれば適用することができる。
【００７２】
また、上記各実施の形態においては、スタートビット及びストップビットをそれぞれ“０”又は“１”に固定するようにした場合について説明したが、これに限らるものではなく、“０”及び“１”に固定されるビットを、通信データの予め設定した任意の位置にそれぞれ設定するようにしてもよく、また、位置を固定せずに通信データの何れかに“０”及び“１”を含むようにした場合でも適用することができる。また、光ケーブルＬの接続状態を検出するためには必ずしも通信データの先頭のビット、上記各実施の形態においては、スタートビットが“０”である必要はなく、任意に設定することができる。
【００７３】
また、上記各実施の形態においては、調歩同期式の通信方式により光通信を行う場合について説明したが、これに限るものではなく、上述のように、通信データに“１”を含み、且つ通信データ長が予め設定した規定値を超えない範囲であれば、前記データ長の規定値に応じてタイマ回路５１のタイムアップ値ＣＵＰ或いは前記リトリガブル回路５４の保持期間Ｔｆｒを設定するようにすればよい。
【００７４】
また、上記各実施の形態においては、光ケーブルＬが接続されていないきには“０”、無通信状態のときには“１”を受信信号とした場合について説明したが、これに限るものではなく、光ケーブルＬが接続されていないきには“１”、無通信状態のときには“０”を受信信号とする場合であっても適用することができ、この場合には、上記各実施の形態における“１”及び“０”の論理値関係が逆となるようにすればよい。
【００７５】
なお、上記各実施の形態において、Ｅ／Ｏ変換器３２が光送信手段に対応し、Ｏ／Ｅ変換器３４が光受信手段に対応し、第１のレベルの電気信号が論理値“１”に対応し、第２のレベルの電気信号が論理値“０”に対応し、光ケーブル状態監視部３８が通信状態判別手段に対応し、通信許可部４０が作動制御手段に対応し、トリガ発生器５３がトリガ信号発生手段に対応している。
【００７６】
【発明の効果】
以上説明したように、本発明の請求項１に係る光通信装置によれば、受信信号に基づいて、光通信による外部装置との通信が可能な状態であるかどうかを判別し、通信可能な状態にあると判別されるときにのみ、光送信手段を作動可能状態とするようにしたから、無通信状態においては光送信手段を発光させるような通信方式の場合であっても、外部装置と光通信を行う必要がなく外部装置を接続していない場合等には、光送信手段は作動しないから、不必要な状態にも係わらずに光送信手段が作動することを回避することができ、その分光送信手段の寿命の延長及び消費電力の低減を図ることができる。
【００７７】
また、請求項２に係る光通信装置によれば、光通信による外部装置との通信が可能な通信可能状態であり且つ無通信状態のときには受信信号は第１のレベルの電気信号であり、また、非通信可能状態であるときには受信信号が前記第１のレベルの電気信号とは異なる第２のレベルの電気信号であり、且つ、通信データの最大データ長が決まっており且つこの通信データ中に少なくとも第１のレベルの電気信号を含むことを利用し、つまり、通信可能状態では、第２のレベルの電気信号の継続時間が決まることを利用して通信状態判別手段により通信可能状態であるかどうかを判別し、通信可能状態であると判別されるときにのみ作動制御手段によって、光送信手段を作動可能状態とするようにしたから、無通信状態においては光送信手段を発光させるような通信方式の場合であっても、外部装置と光通信を行う必要がなく外部装置を接続していない場合等には、光送信手段は作動しないから、不必要な状態にも係わらずに光送信手段が作動することを回避することができ、その分光送信手段の寿命の延長及び消費電力の低減を図ることができる。
【００７８】
また、請求項３に係る光通信装置によれば、通信状態判別手段としてタイマ回路を用い、受信信号として第２のレベルの電気信号を受信したとき計測を開始し且つその計測時間が前記最大データ長に基づいて設定された最大計測時間に達したときにタイムアップ信号を出力させると共に、第１のレベルの電気信号を受信したときには計測時間をその初期値にリセットするようにしたから、通信可能状態であるかどうかを容易に判断することができると共に、前記タイムアップ信号を前記作動許可を通知するための信号として用いることによってその通知を容易に行うことができる。
【００７９】
また、請求項４に係る光通信装置によれば、受信信号として第２のレベルの電気信号を受信している間、所定周期でトリガ信号を出力するトリガ信号発生手段と、このトリガ信号発生手段からのトリガ信号をトリガとして規定時間、信号を出力するリトリガブルモノステーブルマルチバイブレータとから通信状態判別手段を構成し、リトリガブルモノステーブルマルチバイブレータの規定時間として、最大データ長に基づいて設定された最大経過時間に相当する値を設定するようにしたから、通信可能状態であるかどうかを容易に判断することができると共に、前記リトリガブルモノステーブルマルチバイブレータの出力信号を、前記作動許可を通知するための信号として用いることによって、その通知を容易に行うことができる。
【００８０】
また、請求項５に係る光通信装置によれば、調歩同期式通信方式の際に、通信データの末尾に付加されるストップビットとして、第１のレベルの電気信号を設定するようにしたから、通信状態判別手段での判別に必要とする第１のレベルの電気信号を新たに設けることなく、容易に実現することができる。
また、請求項６に係る光通信装置によれば、パワーエレクトロニクス技術を応用した電力変換装置に適用するようにしたから、特に、このような電力変換装置においては、メンテナンス時に、外部装置とのデータ伝送を行う場合等、光通信装置を使用する頻度が比較的少ないから、不必要なときには光送信手段を作動不可状態とすることによって大いに効果を得ることができる。
【００８１】
さらに、請求項７に係る光通信装置によれば、作動制御手段として、通信状態判別手段での判別結果に応じて動作する電気式のスイッチを用いるようにしたから、光通信装置を使用する頻度が少なくすなわち作動制御手段が動作する頻度が少ない場合であっても、作動制御手段を頻度が少ないためにこれが劣化することに起因して作動制御手段が正常動作しないといったことを回避することができる。
【図面の簡単な説明】
【図１】本発明の第１の実施の形態における光通信装置の一例を示す概略構成図である。
【図２】光通信による通信データのデータフォーマットの一例である。
【図３】図１の光ケーブル接続監視部３８及び通信許可部４０の詳細を示す構成図である。
【図４】タイマ回路５１の動作説明に供するタイミングチャートである。
【図５】第１の実施の形態の動作説明に供するタイミングチャートである。
【図６】第２の実施の形態における光ケーブル接続監視部３８の詳細を示す構成図である。
【図７】図６のトリガ発生器５３の動作説明に供するタイミングチャートである。
【図８】図６のリトリガブル回路５４の動作説明に供するタイミングチャートである。
【図９】第２の実施の形態に動作説明に供するタイミングチャートである。
【図１０】従来のパワエレ装置１０と外部周辺装置２０との接続方法を説明するための説明図である。
【図１１】従来のパワエレ装置１０と外部周辺装置２０との接続方法を説明するための説明図である。
【図１２】従来のパワエレ装置１０と外部周辺装置２０との接続方法を説明するための説明図である。
【符号の説明】
１０  パワエレ装置（電力変換装置）
２０  外部周辺装置
３０  光通信装置
３２  Ｅ／Ｏ変換器
３４  Ｏ／Ｅ変換器
３８  光ケーブル接続監視部
４０  通信許可部
４２  ＡＮＤ回路
５１  タイマ回路
５２  初期値設定部
５３  トリガ発生器
５４  リトリガブル回路
【図１】
2004336132.tif 000003
【図２】
2004336132.tif 000004
【図３】
2004336132.tif 000005
【図４】
2004336132.tif 000006
【図５】
2004336132.tif 000007
【図６】
2004336132.tif 000008
【図７】
2004336132.tif 000009
【図８】
2004336132.tif 000010
【図９】
2004336132.tif 000011
【図１０】
2004336132.tif 000012
【図１１】
2004336132.tif 000013
【図１２】
2004336132.tif 000014